【手続補正書】
【提出日】平成29年10月23日(2017.10.23)
【手続補正１】
【補正対象書類名】特許請求の範囲
【補正対象項目名】全文
【補正方法】変更
【補正の内容】
【特許請求の範囲】
【請求項１】
ネットワークを介してクライアント装置と接続し、かつローカル接続された表示装置と通信を行ってクライアント装置が生成するコンテンツをネットワーク越しに表示装置で表示する中継装置であって、
複数の待機画面と、
前記クライアント装置と自身の接続状態に応じて所定の待機画面に順次切り替える画面スケジュールを複数保持しており、
起動完了後接続待ちの状態で、プラグアンドプレイの開始以降に表示装置に表示させる画面の画面スケジュールを、前記複数の画面スケジュールから選択する画面切り替え部
を備える中継装置。
【請求項２】
前記画面切り替え部は、前記クライアント装置からの指示に基づいて画面スケジュールを選択する、請求項１記載の中継装置。
【請求項３】
前記画面切り替え部は、前記プラグアンドプレイが完了した後は、相互に複数の画面スケジュール間を切り替え可能である、請求項１または２記載の中継装置。
【請求項４】
前記複数の画面スケジュールには、前記プラグアンドプレイが完了しても、クライアント装置から送信された画像の代わりに所定の待機画面を表示するスケジュールが含まれる、請求項１〜３のいずれか１項に記載の中継装置。
【請求項５】
前記画面切り替え部で行われる画面スケジュールの選択により、クライアント装置から送信された音声の出力を遮断する音声遮断部をさらに備える、
請求項１〜４のいずれか１項に記載の中継装置。
【請求項６】
中継装置と、当該中継装置とネットワークを介して接続されたクライアント装置と、当該中継装置とローカル接続された表示装置とを備え、クライアント装置が生成するコンテンツをネットワーク越しに表示装置で表示するシステムであって、
前記クライアント装置は、前記中継装置の画面に切り替え部に対して画面スケジュールの選択を指示する画面切り替え指示部と備え、
前記中継装置は
複数の待機画面と、
前記クライアント装置と自身の接続状態に応じて所定の待機画面に順次切り替える複数の画面スケジュールと、
起動完了後接続待ちの状態で、プラグアンドプレイの開始以降に表示装置に表示させる画面の画面スケジュールを、前記複数の画面スケジュールから選択する画面切り替え部
とを備えるシステム。
【手続補正２】
【補正対象書類名】明細書
【補正対象項目名】００１３
【補正方法】変更
【補正の内容】
【００１３】
上記課題を解決するために、本発明の一態様にかかる中継装置は、ネットワークを介してクライアント装置と接続し、かつローカル接続された表示装置と通信を行ってクライアント装置が生成するコンテンツをネットワーク越しに表示装置で表示する中継装置であって、複数の待機画面と、クライアント装置と自身の接続状態に応じて所定の待機画面に順次切り替える画面スケジュールを複数保持しており、起動完了後接続待ちの状態で、プラグアンドプレイの開始以降に表示装置に表示させる画面の画面スケジュールを、複数の画面スケジュールから選択する画面切り替え部を備える。
【手続補正３】
【補正対象書類名】明細書
【補正対象項目名】００１６
【補正方法】変更
【補正の内容】
【００１６】
さらに好ましくは、複数の画面スケジュールには、プラグアンドプレイが完了しても、クライアント装置から送信された画像の代わりに所定の待機画面を表示するスケジュールが含まれる。
【手続補正４】
【補正対象書類名】明細書
【補正対象項目名】００１８
【補正方法】変更
【補正の内容】
【００１８】
また、本発明の一態様にかかるシステムは、中継装置と、当該中継装置とネットワークを介して接続されたクライアント装置と、当該中継装置とローカル接続された表示装置とを備え、クライアント装置が生成するコンテンツをネットワーク越しに表示装置で表示するシステムであって、クライアント装置は、中継装置の画面に切り替え部に対して画面スケジュールの選択を指示する画面切り替え指示部と備え、中継装置は複数の待機画面と、クライアント装置と自身の接続状態に応じて所定の待機画面に順次切り替える複数の画面スケジュールと、起動完了後接続待ちの状態で、プラグアンドプレイの開始以降に表示装置に表示させる画面の画面スケジュールを、複数の画面スケジュールから選択する画面切り替え部とを備える。
【手続補正５】
【補正対象書類名】明細書
【補正対象項目名】００４８
【補正方法】変更
【補正の内容】
【００４８】
表示装置１０２に待機画面Ｇ７０１が表示されているあいだ、ステップＳ７０１では、中継装置１００は起動ののち、接続されたデバイスの情報取得など、クライアント装置１０１からデバイスを利用可能となるための準備を行っている。
【手続補正６】
【補正対象書類名】明細書
【補正対象項目名】００５３
【補正方法】変更
【補正の内容】
【００５３】
また、ステップＳ７０３中に、中継装置１００は、自らが記憶する待機画面を表示する表示モードから、外部（クライアント装置）から送信される画像を表示する表示モードへ切り替える際に、表示装置１０２に中継装置１００からデータを送信できない期間が生じ、この間表示装置１０２は黒画面表示（何も表示していない状態）になる。ステップＳ７０３が完了すると中継装置１００はクライアント装置１０１から送信される画像を表示できるようになり、画像Ｇ７０４に遷移する。
【手続補正７】
【補正対象書類名】明細書
【補正対象項目名】００７６
【補正方法】変更
【補正の内容】
【００７６】
図８は、本発明の実施の形態にかかる画像転送システムにおける中継装置１１０が表示装置に送信する画面の遷移図を示したものである。従来の中継装置１００が表示装置に送信する画面に遷移図（図７）と比較すると、本発明の実施の形態にかかる画像転送システムの中継装置１１０が表示装置１０２に送信する待機画面は、ユーザーの指示あるいは中継装置１１０に予め設定されている画面スケジュール番号に応じて異なる。希望する待機画面を表示装置１０２に表示させたいときに、ユーザーは、この画面スケジュール番号を接続ユーティリティ５０１で指示することになる。
（１）画面スケジュール番号０は、従来の中継装置１００が表示装置に表示させる画面スケジュールであり、待機画面Ｇ７０２、Ｇ７０３およびＧ７０５とクライアント装置から送信される画像Ｇ７０４で構成される。
（２）画面スケジュール番号１は、ユーザーが表示を指示したときにのみ表示装置にクライアント装置から送信される画像を表示させる画面スケジュールであり、待機画面Ｇ７０２、Ｇ７０３、Ｇ８１０およびＧ８１１で構成される。
（３）画面スケジュール番号２は、黒画面を表示するための画面スケジュールであり、待機画面Ｇ８００およびＧ８０１で構成される。
以下、図８において、機器接続プロセスの接続処理状態に沿って、画面の遷移を説明する。
【手続補正８】
【補正対象書類名】明細書
【補正対象項目名】００８２
【補正方法】変更
【補正の内容】
【００８２】
また、画面スケジュール番号＝１を選択した場合に現われる待機画面Ｇ８１０は、ユーザーがクライアント装置１１１で行う操作中の画面を表示装置１０２に表示させたくない、あるいは意図的に特定の期間だけ画像を表示装置１０２に表示させたくないなどの理由で選択される待機画面である。「画像投影中」の状態で、待機画面Ｇ８１０が表示装置１０２に表示されているあいだは、クライアント装置１１１から中継装置１１０へは画像が送信されているが、表示装置１０２にはその画像の代わりに待機画面Ｇ８１０が表示されることにより、表示装置１０２の視聴者は待機画面Ｇ８１０を見ることになる。このようにユーザーの意図を考慮した適切な待機画面が表示装置１０２に表示される。
【手続補正９】
【補正対象書類名】明細書
【補正対象項目名】００８５
【補正方法】変更
【補正の内容】
【００８５】
画像投影中からユーザーが表示装置の使用を終了し、接続ユーティリティから切断要求を中継装置に送信すると、表示装置は画面スケジュール番号０、１、２に応じて、中継装置からそれぞれ異なる表示画面Ｇ７０５、Ｇ８１１、Ｇ８０１を受けて表示する。図７でＧ７０５について説明したのと同様、Ｇ８１１およびＧ８０１においても切断中であることを示す表示は直前の画面に重畳されて表示されている。ここでも画面スケジュール番号＝２を選択すると、表示モードの切り替えの瞬間、黒画面が現われるのを防止できる。